(57)【要約】【課題】この発明は、敷地部材にレイアウト部材等を配置することで、画像データ生成装置が建築物のレイアウト画像データを生成する建築物プランニングツールに関する。【解決手段】本発明に係る建築物プランニングツール１は、建築物を構成する構造体に対応するレイアウト部材２と、該建築物が建てられる敷地に対応すると共に、該レイアウト部材２が配置されその識別情報と位置情報とを読取る敷地部材３と、前記識別情報と前記位置情報とに基づいて前記建築物のレイアウト画像データを生成する画像データ生成装置４と、からなるものであり、さらに、前記建築物の内外に配置される付帯設備に対応する付帯部材５を具備するものである。【選択図】図１
2010067025.tif 000002
【特許請求の範囲】
【請求項１】
建築物を構成する構造体に対応するレイアウト部材と、該建築物が建てられる敷地に対応すると共に、該レイアウト部材が配置されその識別情報と位置情報とを読取る敷地部材と、前記識別情報と前記位置情報とに基づいて前記建築物のレイアウト画像データを生成する画像データ生成装置と、を具備する建築物プランニングツールにおいて、
さらに、前記建築物の内外に配置される付帯設備に対応する付帯部材を具備すると共に、
前記レイアウト部材が、
該レイアウト部材の表面に取外し自在に貼付される前記付帯部材を識別する付帯部材識別情報、及びこれが配置される位置を示す付帯部材位置情報を取得する読取手段と、
該読取手段によって取得した前記付帯部材識別情報、及び前記付帯部材位置情報を無線によって前記画像データ生成装置に送信可能な送信手段と、を有し、
前記画像データ生成装置が、
前記付帯部材に対応した画像データを記憶する記憶手段と、
前記送信手段から送信された前記付帯部材識別情報、及び前記付帯部材位置情報と、を受信可能な受信手段と、
該受信手段が受信した前記付帯部材識別情報を基に、対応する前記付帯設備の前記画像データを前記記憶手段から読出す情報読出手段と、
該情報読出手段が読出した前記画像データを、前記受信手段が受信した前記位置情報に対応する位置にレイアウト画像データを生成するレイアウト画像データ生成手段と、を有することを特徴とする建築物プランニングツール。
【請求項２】
請求項１記載の建築物プランニングツールにおいて、
さらに、前記レイアウト部材の仕様に関するレイアウト仕様識別情報が付与されたレイアウト仕様タグを具備すると共に、
前記レイアウト部材が、
該レイアウト部材の表面に取外し自在に貼付される前記レイアウト仕様タグを識別する前記レイアウト仕様識別情報を取得する前記読取手段と、
該読取手段によって取得した前記レイアウト仕様識別情報を無線によって前記画像データ生成装置に送信可能な前記送信手段と、を有し、
前記画像データ生成装置が、
前記レイアウト仕様タグに対応した画像データを記憶する前記記憶手段と、
前記送信手段から送信された前記レイアウト仕様識別情報を受信可能な前記受信手段と、
該受信手段が受信した前記レイアウト仕様識別情報を基に、対応する前記仕様の前記画像データを前記記憶手段から読出す前記情報読出手段と、
該情報読出手段が読出した前記画像データを、前記レイアウト画像データに反映する前記レイアウト画像データ生成手段と、を有することを特徴とする建築物プランニングツール。
【請求項３】
請求項１又は２記載の建築物プランニングツールにおいて、
さらに、前記付帯部材の仕様に関する付帯仕様識別情報が付与された付帯仕様タグを具備すると共に、
前記付帯部材が、
該付帯部材の表面に取外し自在に貼付される前記付帯仕様タグを識別する前記付帯仕様識別情報を取得する読取手段と、
該読取手段によって取得した前記付帯仕様識別情報を無線によって前記画像データ生成装置に送信可能な送信手段と、を有し、
前記画像データ生成装置が、
前記付帯仕様タグに対応した画像データを記憶する前記記憶手段と、
前記送信手段から送信された前記付帯仕様識別情報を受信可能な前記受信手段と、
該受信手段が受信した前記付帯仕様識別情報を基に、対応する前記仕様の前記画像データを前記記憶手段から読出す前記情報読出手段と、
該情報読出手段が読出した前記画像データを、前記レイアウト画像データに反映する前記レイアウト画像データ生成手段と、を有することを特徴とする建築物プランニングツール。
【請求項４】
前記レイアウト部材の前記読取手段と前記送信手段、及び前記付帯部材の前記読取手段と前記送信手段が、無線通信可能なシート型スキャナが該レイアウト部材、及び付帯部材のそれぞれの表面に貼付されて形成されることを特徴とする請求項１乃至３記載の建築物プランニングツール。
【発明の詳細な説明】
【技術分野】
【０００１】
この発明は、敷地部材にレイアウト部材等を配置することで、画像データ生成装置が建築物のレイアウト画像データを生成する建築物プランニングツールに関する。
【背景技術】
【０００２】
従来、住宅等の建築物を建てる際には、予め顧客に対して、当該住宅完成後の間取り図を見せる等してから住宅の施工に取掛かるが、顧客はその間取り図から住宅が完成した際の様子を連想することが困難であった。そのため、近年ＣＡＤ技術の向上によって、空間のイメージがわかりやすいように、一定の図法により住宅の内観や外観を立体的に描いた透視図や、描かれた仮想住宅の中を移動することができるウォークスルー機能等を使用することで、完成後の住宅の様子をその施工前に知ることができるようになっている。しかし、ＣＡＤ等の画像についても表示されるのは平面なディスプレイであり、その平面な表示媒体から空間を的確に把握することは万人には困難であった。
【０００３】
また、顧客に対して、間取り図やＣＡＤ図面を見せながらその顧客の要望を聞き、その場で、間取り図やＣＡＤ図面等を変更して顧客の要望を反映することが困難であった。そのため、顧客はその要望が反映された状態をその場で確認して、現状のものと比較することができなかった。
【０００４】
そのため、図７に示すように、任意のレイアウト部材１０１が配置されるレイアウト部材配置部１０２ａと、該レイアウト部材配置部１０２ａに配置されたレイアウト部材１０１から読出した部材識別情報と、該レイアウト部材１０１が配置されている位置情報を画像データ生成装置１０３へ送信する配置読取部とを備えるデッサンボード１０２と、前記レイアウト部材１０１に対応した物品の画像データを記憶する記憶部と、受信にした部材識別情報を基に、前記物品の画像データを記憶部から読出すレイアウト部材データ読出部と、読出した画像データを、受信した位置情報に対応して配置したレイアウト画像データを生成するレイアウト画像データ生成部とを備える画像データ生成装置１０３と、から構成される画像作成ツール１０４が考案されている（例えば、特許文献１）。
【０００５】
【特許文献１】特開２００５−２７５８９５号公報
【発明の開示】
【発明が解決しようとする課題】
【０００６】
そのため、上記画像作成ツール１０４では、顧客の目の前でレイアウト部材１０１を模型のように組立てながら、そのレイアウト画像をディスプレイ等の表示手段に表示することができるため、該顧客は立体的に組立てられたレイアウト部材１０１で空間を把握しつつ表示手段に表示されたレイアウト画像を確認することができる。そして、例えば間仕切の位置等を顧客の要望で変更した際には、デッサンボード１０２上のレイアウト部材１０１を移動するだけで、表示手段に表示されるレイアウト画像にもその変更がリアルタイムに反映され、これを顧客がその場で確認することができる。
【０００７】
しかし、実際の住宅において、例えば外壁や、内壁の色や種類等は多数あり、これら全てに対応するレイアウト部材１０１を作成することは困難であった。
【０００８】
この発明は上記のような種々の課題を解決することを目的としてなされたものであって、顧客の前でレイアウト部材を組立てながら、同時にレイアウト画像データを生成することができ、且つ、レイアウト部材等の部材の点数を少なくすることができる建築物プランニングツールに関する。
【課題を解決するための手段】
【０００９】
上記目的を達成するために、請求項１記載の建築物プランニングツールは、建築物を構成する構造体に対応するレイアウト部材と、該建築物が建てられる敷地に対応すると共に、該レイアウト部材が配置されその識別情報と位置情報とを読取る敷地部材と、前記識別情報と前記位置情報とに基づいて前記建築物のレイアウト画像データを生成する画像データ生成装置と、を具備する建築物プランニングツールにおいて、さらに、前記建築物の内外に配置される付帯設備に対応する付帯部材を具備すると共に、前記レイアウト部材が、該レイアウト部材の表面に取外し自在に貼付される前記付帯部材を識別する付帯部材識別情報、及びこれが配置される位置を示す付帯部材位置情報を取得する読取手段と、該読取手段によって取得した前記付帯部材識別情報、及び前記付帯部材位置情報を無線によって前記画像データ生成装置に送信可能な送信手段と、を有し、前記画像データ生成装置が、前記付帯部材に対応した画像データを記憶する記憶手段と、前記送信手段から送信された前記付帯部材識別情報、及び前記付帯部材位置情報と、を受信可能な受信手段と、該受信手段が受信した前記付帯部材識別情報を基に、対応する前記付帯設備の前記画像データを前記記憶手段から読出す情報読出手段と、該情報読出手段が読出した前記画像データを、前記受信手段が受信した前記位置情報に対応する位置にレイアウト画像データを生成するレイアウト画像データ生成手段と、を有することを特徴としている。
【００１０】
請求項２記載の建築物のプランニングツールは、請求項１記載の建築物プランニングツールにおいて、さらに、前記レイアウト部材の仕様に関するレイアウト仕様識別情報が付与されたレイアウト仕様タグを具備すると共に、前記レイアウト部材が、該レイアウト部材の表面に取外し自在に貼付される前記レイアウト仕様タグを識別する前記レイアウト仕様識別情報を取得する前記読取手段と、該読取手段によって取得した前記レイアウト仕様識別情報を無線によって前記画像データ生成装置に送信可能な前記送信手段と、を有し、前記画像データ生成装置が、前記レイアウト仕様タグに対応した画像データを記憶する前記記憶手段と、前記送信手段から送信された前記レイアウト仕様識別情報を受信可能な前記受信手段と、該受信手段が受信した前記レイアウト仕様識別情報を基に、対応する前記仕様の前記画像データを前記記憶手段から読出す前記情報読出手段と、該情報読出手段が読出した前記画像データを、前記レイアウト画像データに反映する前記レイアウト画像データ生成手段と、を有することを特徴としている。
【００１１】
請求項３記載の建築物のプランニングツールは、請求項１又は２記載の建築物プランニングツールにおいて、さらに、前記付帯部材の仕様に関する付帯仕様識別情報が付与された付帯仕様タグを具備すると共に、前記付帯部材が、該付帯部材の表面に取外し自在に貼付される前記付帯仕様タグを識別する前記付帯仕様識別情報を取得する読取手段と、該読取手段によって取得した前記付帯仕様識別情報を無線によって前記画像データ生成装置に送信可能な送信手段と、を有し、前記画像データ生成装置が、前記付帯仕様タグに対応した画像データを記憶する前記記憶手段と、前記送信手段から送信された前記付帯仕様識別情報を受信可能な前記受信手段と、該受信手段が受信した前記付帯仕様識別情報を基に、対応する前記仕様の前記画像データを前記記憶手段から読出す前記情報読出手段と、該情報読出手段が読出した前記画像データを、前記レイアウト画像データに反映する前記レイアウト画像データ生成手段と、を有することを特徴としている。
【００１２】
請求項４記載の建築物のプランニングツールは、前記レイアウト部材の前記読取手段と前記送信手段、及び前記付帯部材の前記読取手段と前記送信手段が、無線通信可能なシート型スキャナが該レイアウト部材、及び付帯部材のそれぞれの表面に貼付されて形成されることを特徴としている。
【発明の効果】
【００１３】
請求項１記載の建築物プランニングツールによれば、前記レイアウト部材が、該レイアウト部材の表面に取外し自在に貼付される前記付帯部材を識別する付帯部材識別情報、及びこれが配置される位置を示す付帯部材位置情報を取得する読取手段と、該読取手段によって取得した前記付帯部材識別情報、及び前記付帯部材位置情報を無線によって前記画像データ生成装置に送信可能な送信手段と、を有している。これにより、レイアウト部材自体が画像データ生成装置と直接通信可能となっている。
【００１４】
また、建築物の内外に配置される付帯設備に対応する付帯部材を具備している。そのため、敷地部材に載置されたレイアウト部材の表面に付帯部材を貼付することで、当該付帯部材の付帯部材識別情報と付帯部材位置情報とを該レイアウト部材が画像データ生成装置に送信することができ、該画像データ生成装置が生成したレイアウト画像データをレイアウト画像として適宜ディスプレイ等に表示して、顧客に見せることができる。すなわち、顧客と打合せをしている際に、レイアウト部材に貼付された付帯部材を、取外す、若しくは、取り換える等して、建築物の設計をしながら、同時にこれをレイアウト画像データに反映し、そのレイアウト画像を表示手段に表示することができる。
【００１５】
そして、レイアウト部材を敷地部材の上に組立てながら顧客がこれを立体的に把握しつつ、生成されたレイアウト画像データがレイアウト画像として表示手段に表示されることで住宅等の建築物の完成イメージを的確に把握することができるので、顧客の設計時のイメージと建築物完成時のイメージとの間にキャップが生じることがない。また、顧客との打合せの間に設計情報が完成するので、その打合せの後に改めてＣＡＤ等の入力を行いレイアウト画像データを完成させる必要がなく、作業の効率化に貢献することができると共に、その打合せ時の顧客の要望を反映し忘れる等のＣＡＤ等の入力のミスが生じることがない。
【００１６】
さらに、顧客と打合せをする担当者は、本発明に係る建築物プランニングツールを使用することで、その担当者自身はＣＡＤ等の描画ソフトで建築物を描くという専門的な技術を必要とすることがなく、敷地部材にレイアウト部材を載置し、さらに、該レイアウト部材に付帯部材を貼付することでレイアウト画像データを容易に作成することができるという利点がある。
【００１７】
そして、付帯設備としての建築物内の例えば窓に対応する付帯部材等を変更する際には、これらに対応する付帯部材をレイアウト部材に貼付することにより、レイアウト画像データに反映することができ、例えば窓の位置が異なる壁に対応するレイアウト部材を複数用意する必要がなく、レイアウト部材の点数を少なくすることができ、この場合にもＣＡＤ等の入力作業を要しない。
【００１８】
請求項２記載の建築物プランニングツールによれば、前記レイアウト部材の仕様に関するレイアウト仕様識別情報が付与されたレイアウト仕様タグを具備すると共に、前記レイアウト部材が、該レイアウト部材の表面に取外し自在に貼付される前記レイアウト仕様タグを識別する前記レイアウト仕様識別情報を取得する前記読取手段と、該読取手段によって取得した前記レイアウト仕様識別情報を無線によって前記画像データ生成装置に送信可能な前記送信手段と、を有している。これにより、仕様の異なるレイアウト部材を数多く用意しておく必要がなく、レイアウト部材の点数を少なくすることができる。また、レイアウト仕様タグをレイアウト部材の表面に貼付するだけで、その仕様をレイアウト画像データに反映することができ、顧客と打合せをする担当者が直接ＣＡＤ等の入力作業を行う必要がないという利点もある。
【００１９】
請求項３記載の建築物プランニングツールによれば、前記付帯部材の仕様に関する付帯仕様識別情報が付与された付帯仕様タグを具備すると共に、前記付帯部材が、該付帯部材の表面に取外し自在に貼付される前記付帯仕様タグを識別する前記付帯仕様識別情報を取得する読取手段と、該読取手段によって取得した前記付帯仕様識別情報を無線によって前記画像データ生成装置に送信可能な送信手段と、を有している。これにより、仕様の異なる付帯部材を数多く用意しておく必要がなく、付帯部材の点数を少なくすることができる。また、付帯仕様タグを付帯部材の表面に貼付するだけで、その仕様をレイアウト画像データに反映することができ、顧客と打合せをする担当者が直接ＣＡＤ等の入力作業を行う必要がないという利点もある。
【００２０】
請求項４記載の建築物プランニングツールによれば、前記レイアウト部材の前記読取手段と前記送信手段、及び前記付帯部材の前記読取手段と前記送信手段が、無線通信可能なシート型スキャナが該レイアウト部材、及び付帯部材のそれぞれの表面に貼付されて形成されている。これにより、各レイアウト部材、及び各付帯部材等の表面にシート型スキャナを貼付するだけで読取手段、及び送信手段を設けることができ、これらの作成が容易である。
【発明を実施するための最良の形態】
【００２１】
この発明における建築物プランニングツールの最良の実施形態について、以下に説明する。本発明に係る建築物プランニングツール１は、図１に示すように、建築物を構成する構造体に対応するレイアウト部材２と、該建築物が建てられる敷地に対応すると共に、該レイアウト部材２が配置されその識別情報と位置情報とを読取る敷地部材３と、前記識別情報と前記位置情報とに基づいて前記建築物のレイアウト画像データを生成する画像データ生成装置４と、を具備するものであり、さらに、前記建築物の内外に配置される付帯設備に対応する付帯部材５を具備するものである。
【００２２】
前記敷地部材３は、例えば住宅等の建築物が建てられる敷地に対応する部材であって、図２に示すように、例えば平板状に形成された発泡ポリスチレン製の板部材６の表面に無線通信可能な既知のシート型スキャナ７が貼付されたものであり、図１に示すように、該敷地部材３は読取手段３ａと送信手段３ｂとを具備している。ここで、シート型スキャナ７とは、例えば、有機トランジスタからなる電子スイッチと有機ダイオードからなる光センサーとを別々のフィルムに製造してこれらを張り合わせることにより、電子スイッチと光センサーとで構成される光センサーセルがフィルムに多数配列されたものである。このシート型スキャナ７は読取手段３ａと送信手段３ｂを具備するので、敷地部材３は、該読取手段３ａで読取ったレイアウト部材２や付帯部材５の情報を、該送信手段３ｂで画像データ生成装置４に無線で送信可能となっている。尚、この実施形態のように板部材６を使用することなく、単に机や作業台等の上に直接シート型スキャナ７を広げるようにしてこれを該敷地部材３としいてもよい。
【００２３】
さらに、敷地部材３の仕様に関する敷地使用識別情報が付与された敷地仕様タグ３１を具備していてもよく、該敷地仕様タグ３１は、敷地仕様識別情報が例えば２次元コード等に情報コード化された情報コードＡが、図２に示すように、小片８の一方面側に付されたものである。また、敷地仕様識別情報とは、敷地の大きさ、草の生え方、土の色等を始め、その他の仕様を選択して使用することができる。
【００２４】
前記レイアウト部材２は、建築物を構成する例えば壁体等の構造体に対応する部材であって、図３に示すように、該壁体等の構造体の形状に模して形成された発泡ポリスチレン製の板材９の表面に記述のシート型スキャナ７が貼付されたものや、該構造体等の写真や絵等が貼付されたものである。また、レイアウト部材２としては、建築物の外壁を始め、階段や屋根等の建築物そのものを構成する構造体に対応するものを使用することができ、またこれらに限定されずその他の構造体に対応するものであってもよいのは勿論である。そして、レイアウト部材２に関するレイアウト部材識別情報は、図３に示すように、予めそのレイアウト部材識別情報を前述のように２次元コード等の情報コードＡとしておき、その情報コードＡが当該レイアウト部材２の底面に付されている。
【００２５】
ここで、レイアウト部材識別情報とは、そのレイアウト部材２がどの構造体に対応する部材であるかという情報を始め、その色や大きさ等の初期設定に関する情報である。そのため、レイアウト部材２を敷地部材３の上に載置した際に、当該敷地部材３の読取手段３ａがレイアウト部材２の情報コードＡを読取り、該敷地部材３の送信手段３ｂがその情報を画像データ生成装置４に無線で送信することができる。さらに、敷地部材３は、レイアウト部材２の情報コードＡを読取った位置をレイアウト部材２位置情報として、該敷地部材３の送信手段３ｂが画像データ生成装置４に送信する。
【００２６】
そして、本実施形態に係る建築物プランニングツール１は、レイアウト部材２の仕様に関するレイアウト仕様識別情報が付与されたレイアウト仕様タグ２１を具備している。このレイアウト仕様タグ２１は、レイアウト仕様識別情報が前述のように情報コード化され、その情報コードＡが、図４に示すように、小片８の一方面側に付されたものである。また、レイアウト仕様識別情報とは、レイアウト部材２の素材、色、パターン、大きさ等のレイアウト部材２の形に表れないものであるが、これに限定されず各レイアウト部材２に関する周知の仕様をレイアウト仕様識別情報として使用することができる。そのため、敷地部材３の上に載置されたレイアウト部材２の仕様を変更する際には、当該レイアウト部材２の表面にレイアウト仕様タグ２１を貼付することにより、該レイアウト部材２の読取手段２ａが該レイアウト仕様タグ２１のレイアウト仕様識別情報に関する情報コードＡを読取って、これが送信手段２ｂによって画像データ生成装置４に無線で送信される。
【００２７】
前記付帯部材５は、建築物の内外に配置される付帯設備に対応するものであって、建築物内に配置されるテーブルや窓、照明、ソファー、観葉植物、ラグ等、その他にも、建築物外に設置される樹木や、庭石、塀等の付帯設備を模した形状を発泡ポリスチレン等で形成したり、また、図６に示すように、これらの絵や写真等を発泡ポリスチレン板等に貼付して形成されている。そして、図４、図６に示すように、付帯部材５の表面には既述のシート型スキャナ７が貼付されており、読取手段５ａ、及び送信手段５ｂを有している。
【００２８】
そして、付帯部材５を識別する付帯部材識別情報も情報コード化され、その情報コードＡが該付帯部材５に貼付されている。ここで、付帯部材識別情報とは、その付帯部材５がどの付帯設備に対応する部材であるかという情報を始め、その色や大きさ等の初期設定に関する情報である。そのため、付帯部材５を、図６に示すように、敷地部材３の上に載置した場合には、該敷地部材３の読取手段３ａが該付帯部材５の付帯部材識別情報の情報コードＡを読取って、これを送信手段３ｂが画像データ生成装置４に無線で送信することができる。さらに、敷地部材３は、付帯部材５の情報コードＡを読取った位置を付帯部材位置情報として、該敷地部材３の送信手段３ｂが画像データ生成装置４に送信する。
【００２９】
また、付帯設備の中でも窓等のように壁体に対応するレイアウト部材２に設けられるものの場合には、図４に示すように、その窓に対応する付帯部材５をレイアウト部材２の表面に貼付することで、当該レイアウト部材２の読取手段２ａが該付帯部材５の情報コードＡから付帯部材識別情報を読取り、さらに当該情報コードＡを読取った位置を付帯部材位置情報として、画像データ生成装置４に送信する。
【００３０】
付帯部材５に付された情報コードＡには、付帯部材５識別情報と共に、付帯部材５位置情報が付与されていてもよい。すなわち、照明等の付帯設備に関しては、天井の略中央に設置されることが多いので、これに対応する付帯部材５の情報コードＡに予め付帯部材位置情報を付与しておくことで、当該付帯部材５をレイアウト部材２に貼付すれば、その読取手段２ａが付帯部材識別情報と共に、付帯部材位置情報を読取り、これが送信手段２ａによって画像データ生成装置４に送信される。
【００３１】
そして、本実施形態に係る建築物プランニングツール１は、付帯部材５の仕様に関する付帯仕様識別情報が付与された付帯仕様タグ５１を具備している。この付帯仕様タグ５１は、付帯仕様識別情報が前述のように情報コード化されその情報コードＡが、図４に示すように、小片８の一方面側に付されたものである。また、付帯仕様識別情報とは、付帯部材５の素材、色、パターン等の付帯部材５の形に表れないものであるが、これに限定されず各付帯部材５に関する周知の仕様を付帯仕様識別情報として使用することができる。そのため、敷地部材３の上に載置された付帯部材５の仕様を変更する際には、当該付帯部材５の表面に付帯仕様タグ５１を貼付することにより、該付帯部材５の読取手段５ａが該付帯仕様タグ５１の付帯仕様識別情報に関する情報コードＡを読取って、これが送信手段５ｂによって画像データ生成装置４に無線で送信される。
【００３２】
前記画像データ生成装置４は、周知のパーソナルコンピューターを好適に使用することができ、図１に示すように、敷地部材３、レイアウト部材２、付帯部材５それぞれの送信手段２ａ、３ａ、５ａから送信される無線信号を受信するための受信手段４ａと、レイアウト部材２、及びその仕様に関するレイアウト仕様タグ２１に対応した画像データ、付帯部材５、及びその仕様に関する付帯仕様タグ５１の画像データ等の各部材や、仕様に対応する画像データが記憶されている記憶手段４ｂを有している。さらに、敷地部材３、レイアウト部材２、付帯部材５それぞれの送信手段２ｂ、３ｂ、５ｂから送信された識別情報を基に、当該識別情報に対応した画像データを記憶手段４ｂから読出す情報読出手段４ｃと、情報読出手段４ｃから読出された画像データと受信手段４ａが受信した位置情報等に基づいて例えばＣＡＤ等の形式でレイアウト画像データを生成し、また、各仕様識別情報を生成されたレイアウト画像データに反映するレイアウト画像データ生成手段４ｄを有している。そして、生成されたレイアウト画像データは、図４に示すように、画像データ生成装置４に付属するディスプレイ等の表示手段４ｅにレイアウト画像として表示される。
【００３３】
以上のような、建築物プランニングツール１の使用方法について以下に示す。
【００３４】
まず、例えば壁体等に対応するレイアウト部材２を、図３、図４に示すように、敷地部材３の上に当該レイアウト部材２の情報コードＡが該敷地部材３の表面のシート型スキャナ７と接触するように載置する。これにより、レイアウト部材２の底面の情報コードＡが敷地部材３の読取手段３ａに読取られ、その情報コード化されたレイアウト部材識別情報と、読取られた位置におけるレイアウト部材位置情報とが該敷地部材３の送信手段３ｂによって画像データ生成装置４に無線で送信される。
【００３５】
前述のように送信されたレイアウト部材識別情報とレイアウト部材位置情報とは、画像データ生成装置４の受信手段４ａによって受信される。そして、受信手段４ａで受信されたレイアウト部材識別情報を基に、情報読出手段４ｃが対応する構造体の画像データを記憶手段４ｂから読出し、レイアウト画像データ生成手段４ｄが、該画像データを受信手段４ａが受信したレイアウト部材位置情報に対応する位置にレイアウト画像データを生成する。そして、このように生成されたレイアウト画像データはレイアウト画像として表示手段４ｅに表示される。尚、この実施形態ではレイアウト部材２に対応する構造体として壁体としたが、その他の構造体の場合であっても同様である。
【００３６】
ここで、壁体に対応するレイアウト部材２のレイアウト部材識別情報において、初期設定では該壁体は白色となっており、この壁体の色を水色に変更したい場合には、図４に示すように、該レイアウト部材２にレイアウト仕様タグ２１をその情報コードＡがレイアウト部材２の表面のシート型スキャナ７に接触するように貼付すればよい。すなわち、壁体に対応するレイアウト部材２の水色に関するレイアウト仕様識別情報を有するレイアウト仕様タグ２１を、レイアウト部材２に貼付することにより、該レイアウト部材２の読取手段２ａが当該レイアウト仕様タグ２１の情報コードＡからレイアウト仕様識別情報を読取り、これが送信手段２ｂによって画像データ生成装置４に無線で送信される。
【００３７】
前述のように送信されたレイアウト仕様識別情報は、画像データ生成装置４の受信手段４ａによって受信される。そして、受信手段４ａで受信されたレイアウト仕様識別情報を基に、情報読出手段４ｃが対応する仕様の画像データを記憶手段４ｂから読出し、レイアウト画像データ生成手段４ｄが、当該画像データを前述のように生成されたレイアウト画像データに反映して、壁体の色が白から水色になる。そして、このように仕様が反映されたレイアウト画像データがレイアウト画像として表示手段４ｅに表示される。尚、この実施形態ではレイアウト仕様識別情報に対応する仕様として壁体の色としたが、その他の仕様の場合であっても同様である。
【００３８】
そして、前述のように形成された壁体に窓を設置しようとする場合には、図４に示すように、窓に対応する付帯部材５をレイアウト部材２の表面に当該付帯部材５の情報コードＡが該レイアウト部材２の表面のシート型スキャナ７と接触するように貼付する。これにより、付帯部材５に付された情報コードＡがレイアウト部材２の読取手段２ａに読取られ、その情報コード化された付帯部材識別情報と、読取られた位置における付帯部材位置情報とが該レイアウト部材２の送信手段２ｂによって画像データ生成装置４に無線で送信される。
【００３９】
前述のように送信された付帯部材識別情報と付帯部材位置情報とは、画像データ生成装置４の受信手段４ａによって受信される。そして、受信手段４ａで受信された付帯部材識別情報を基に、情報読出手段４ｃが対応する付帯設備の画像データを記憶手段４ｂから読出し、レイアウト画像データ生成手段４ｄが、該画像データを受信手段４ａが受信した付帯部材位置情報に対応する位置にレイアウト画像データを生成する。そして、このように生成されたレイアウト画像データはレイアウト画像として表示手段４ｅに表示される。すなわち、表示手段４ｅには壁体に窓が付与されたレイアウト画像が表示される。尚、この実施形態では付帯部材５に対応する付帯設備として窓としたが、その他の付帯設備の場合であっても同様である。
【００４０】
ここで、前述のように壁体に付与された窓に対応する付帯部材５の付帯部材識別情報において、初期設定では該窓の窓枠がアルミサッシとなっており、この窓枠を木製のサッシに変更したい場合には、図４に示すように、該付帯部材５に付帯仕様タグ５１をその情報コードＡが該付帯部材５の表面のシート型スキャナ７と接触するように貼付すればよい。すなわち、窓に対応する付帯部材５の木製のサッシに関する付帯仕様識別情報を有する付帯仕様タグ５１を、付帯部材５に貼付することにより、該レイアウト部材２の読取手段２ａが当該レイアウト仕様タグ２１の情報コードＡからレイアウト仕様識別情報を読取り、これが送信手段２ｂによって画像データ生成装置４に無線で送信される。
【００４１】
前述のように送信された付帯仕様識別情報は、画像データ生成装置４の受信手段４ａによって受信される。そして、受信手段４ａで受信された付帯仕様識別情報を基に、情報読出手段４ｃが対応する仕様の画像データを記憶手段４ｂから読出し、レイアウト画像データ生成手段４ｄが、当該画像データを前述のように生成されたレイアウト画像データに反映して、窓枠がアルミサッシから木製のサッシになる。そして、このように仕様が反映されたレイアウト画像データはレイアウト画像として表示手段４ｅに表示される。尚、この実施形態ではレイアウト仕様識別情報に対応する仕様として窓枠の材質としたが、その他の仕様の場合であっても同様である。
【００４２】
その他にも、室内に照明を設置しようとする場合には、照明に対応する付帯部材５をレイアウト部材２の表面に、当該付帯部材５の情報コードＡが該レイアウト部材２の表面のシート型スキャナ７と接触するように貼付する。これにより、付帯部材５に付された情報コードＡがレイアウト部材２の読取手段２ａに読取られ、既述のようにその情報コード化された付帯部材識別情報、及び付帯部材位置情報とが該レイアウト部材２の送信手段２ｂによって画像データ生成装置４に無線で送信され、既述と同様にしてレイアウト画像データに反映され、このレイアウト画像が表示手段４ｅにより表示される。
【００４３】
このように、レイアウト部材２、及び付帯部材５、さらには敷地部材３の仕様はこれらの仕様に対応する仕様タグ２１、５１、３１を貼付することでこれらの仕様をレイアウト画像データに反映することができ、また、これらの仕様に関する仕様タグ２１、５１、３１はレイアウト部材２等に複数貼付することができるのは勿論である。また、前記タグ２１、５１、３１自体をレイアウト部材２等から取外せば、貼付する前の状態にレイアウト画像データが戻り、そのレイアウト画像が表示手段４ｅに表示される。
【００４４】
そして、壁体や床材等に対応するレイアウト部材２を組合わせて２階建ての建築物を敷地部材３の上に作成しようとする際にも、図５に示すように、１階の壁体に対応するレイアウト部材２の上面にもシート型スキャナ７が貼付されており、この上に載置される床材に対応するレイアウト部材２の裏面には既述のようなレイアウト部材識別情報を有する情報コードＡが付されているので、該シート型スキャナ７の上に床材に対応するレイアウト部材２を載置した場合には、当該レイアウト部材２の情報コードＡを、１階の壁体に対応するレイアウト部材２の読取手段２ａが読取り、そのレイアウト部材識別情報とレイアウト部材位置情報とがその送信手段２ｂによって画像データ生成装置４に送信される。そして、既述のようにしてレイアウト画像データが生成され、このレイアウト画像が表示手段４ｅによって表示される。
【００４５】
また、床材に対応するレイアウト部材２の表面にもシート型スキャナ７が貼付されており、２階の壁体に対応するレイアウト部材の底面にも情報コードＡが付されているので、該シート型スキャナ７の上に該２階の壁体に対応するレイアウト部材２を載置した場合には、既述のようにレイアウト画像データが生成され、床材に２階の壁体が設けられたレイアウト画像が表示手段４ｅによって表示される。尚、この実施形態では２階建ての例を示したが、これに限定されず３階建てでもよく、さらにはそれ以上であってもよい。
【００４６】
このように、レイアウト部材２や付帯部材５の表面全体にシート型スキャナ７を貼付しておくことで、何れの面からでも他のレイアウト部材２や付帯部材５、そして、これらの仕様に関する仕様タグ２１、５１に付された情報コードＡを、読取ることができると共に、当該情報コードＡから取得した情報を画像データ生成装置４に無線で送信することができる。尚、敷地部材３、レイアウト部材２、及び付帯部材５は実際の建築物を縮小したものであるが、その縮尺も適宜変更することができるのは勿論である。また、仕様タグ２１、５１等をレイアウト部材２や敷地部材３に貼付したり、付帯部材５をレイアウト部材等に貼付する際には、例えばこれらの接着する側の部材の接着面の縁部等に、繰返し張替えても粘着力が低下しにくい周知の粘着材等を予め設けているため接着される側の被接着部材に取外し自在となっているが、貼付の方法はこれ以外であってもよい。
【００４７】
以上のような、建築物プランニングツール１を使用すれば、顧客の前でレイアウト部材２等を組立てながら、同時にレイアウト画像データを生成することができ、且つ、レイアウト部材２等の部材の点数を少なくすることができる。
【産業上の利用可能性】
【００４８】
本発明に係る建築物プランニングツール１を使用すれば、住宅等の建築物、及びそのインテリアだけでなくエクステリアのプランニングを行うことができる。
【図面の簡単な説明】
【００４９】
【図１】本実施形態に係る建築物プランニングツールの概略図
【図２】本実施形態に係る敷地部材を示す斜視図
【図３】本実施形態に係るレイアウト部材を示す斜視図
【図４】本実施形態に係る建築物プランニングツールの使用状態を示す図
【図５】他の実施形態に係る建築物プランニングツールの使用状態を示す図
【図６】敷地部材に載置されたレイアウト部材を示す図
【図７】従来技術を示す図
【符号の説明】
【００５０】
１        建築物プランニングツール
２        レイアウト部材
２１      レイアウト仕様タグ
２ａ      読取手段
２ｂ      送信手段
３        敷地部材
３１      敷地仕様タグ
３ａ      読取手段
３ｂ      送信手段
４        画像データ生成装置
４ａ      受信手段
４ｂ      記憶手段
４ｃ      情報読出手段
４ｄ      データ生成手段
４ｅ      表示手段
５        付帯部材
５１      付帯仕様タグ
５ａ      読取手段
５ｂ      送信手段
７        シート型スキャナ
【図１】
2010067025.tif 000003
【図２】
2010067025.tif 000004
【図３】
2010067025.tif 000005
【図４】
2010067025.tif 000006
【図５】
2010067025.tif 000007
【図６】
2010067025.tif 000008
【図７】
2010067025.tif 000009